(57)【特許請求の範囲】
【請求項１】
遊技領域を有する遊技盤と、
遊技球を案内する第一の通路部と、
前記第一の通路部の下方に前記第一の通路部と略平行に配設され、遊技球を案内する第二の通路部と、を備え、
前記第一の通路部と前記第二の通路部は、前記遊技球の進行方向に沿って少なくとも一部が連通され、
前記第一の通路部および前記第二の通路部は、前記遊技球の側方への移動を規制する側壁をそれぞれ有し、
前記第一の通路部の側壁と前記第二の通路部の側壁は、同一平面上に配設され、
前記第二の通路部は、下方に開口部を備え、
前記第一の通路部および前記第二の通路部は、前記遊技領域に設けられ、所定の遊技領域から、別の遊技領域へ球を移動させるワープ通路であることを特徴とする遊技台。
【請求項２】
所定の入賞口を有する遊技盤と、
遊技球を案内する第一の通路部と、
前記第一の通路部の下方に前記第一の通路部と略平行に配設され、遊技球を案内する第二の通路部と、を備え、
前記第一の通路部と前記第二の通路部は、前記遊技球の進行方向に沿って少なくとも一部が連通され、
前記第一の通路部および前記第二の通路部は、前記遊技球の側方への移動を規制する側壁をそれぞれ有し、
前記第一の通路部の側壁と前記第二の通路部の側壁は、同一平面上に配設され、
前記第二の通路部は、下方に開口部を備え、
前記第一の通路部および前記第二の通路部は、前記所定の入賞口へ入球しなかった遊技球を排出するアウト口であることを特徴とする遊技台。
【請求項３】
遊技球を案内する第一の通路部と、
前記第一の通路部の下方に前記第一の通路部と略平行に配設され、遊技球を案内する第二の通路部と、を備え、
前記第一の通路部と前記第二の通路部は、前記遊技球の進行方向に沿って少なくとも一部が連通され、
前記第一の通路部および前記第二の通路部は、前記遊技球の側方への移動を規制する側壁をそれぞれ有し、
前記第一の通路部の側壁と前記第二の通路部の側壁は、同一平面上に配設され、
前記第二の通路部は、下方に開口部を備え、
前記第一の通路部および前記第二の通路部は、賞球計数部が計数した前記遊技球を貯留皿へ払い出す払出通路であることを特徴とする遊技台。
【発明の詳細な説明】
【技術分野】
【０００１】
本発明は、パチスロ機（スロットマシン）やパチンコ機に代表される遊技台に関する。
【背景技術】
【０００２】
従来の遊技台（例えば、パチンコ機）では、発射装置から遊技領域に向けて球を発射し、遊技領域に設けられた入賞口に球が入球することで所定の利益が獲得できるように構成されている。このような遊技台の一つとして、球に付着したゴミを落下させるための開口部と、落下したゴミを貯留する貯留部を備えた遊技台が提供されている（例えば、特許文献１参照）。
【特許文献１】特開２０００−９３６１１号公報
【発明の開示】
【発明が解決しようとする課題】
【０００３】
しかしながら、上記特許文献１に記載の遊技台では、球が通過する通路の各々に上述の開口部を設けるとともに、この開口部に対応する数の貯留部を備える必要がある。そのため、複数の通路を備えた遊技台では、通路の数に対応する複数の貯留部をチェックするとともにゴミの清掃をしなければならず、メンテナンスに多大な時間を要するという問題があった。また、複数の貯留部を設けるために多くの設置スペースが必要であるという問題もあった。
【０００４】
本発明は、このような問題点を解決するためになされたものであって、遊技媒体に付着したゴミを効率的に収集することが可能な上に、メンテナンス性に優れ、省スペース化を図ることができる遊技台を提供することを目的とする。
【課題を解決するための手段】
【０００５】
（１）本発明は、遊技球を案内する第１の通路部と、前記第１の通路部の下方に前記第１の通路部と略平行に配設され、遊技球を案内する第２の通路部と、を備え、前記第１の通路部と前記第２の通路部は、前記遊技球の進行方向に沿って少なくとも一部が連通されていることを特徴とする、遊技台である。
【０００６】
（２）本発明はまた、前記第１の通路部および前記第２の通路部は、前記遊技球の側方への移動を規制する側壁をそれぞれ有し、前記第１の通路部の側壁と前記第２の通路部の側壁は、同一平面上に配設されていることを特徴とする、前記（１）記載の遊技台である。
【０００７】
（３）本発明はまた、前記第２の通路部は、前記遊技球の側方への移動を規制する側壁を有し、前記第２の通路部の側壁の上面は、前記第１の通路部によって案内される遊技球を転動させる転動面を兼ねることを特徴とする、前記（１）に記載の遊技台である。
【０００８】
（４）本発明はまた、前記第２の通路部の側壁は、板状部材からなることを特徴とする、前記（３）に記載の遊技台である。
【０００９】
（５）本発明はまた、前記第１の通路部と前記第２の通路部が近接して配設されていることを特徴とする、前記（３）または（４）に記載の遊技台である。
【００１０】
（６）本発明はまた、前記第１の通路部と前記第２の通路部が前記側壁の厚みよりも近接して配設されていることを特徴とする、前記（５）に記載の遊技台である。
【００１１】
（７）本発明はまた、前記第１の通路部の下方に前記第１の通路部および前記第２の通路部と略平行に配設され、遊技球を案内する第３の通路部をさらに備え、前記第１の通路部と前記第３の通路部は、前記遊技球の進行方向に沿って少なくとも一部が連通されていることを特徴とする、前記（１）に記載の遊技台である。
【００１２】
（８）本発明はまた、前記第２の通路部および前記第３の通路部は、前記遊技球の側方への移動を規制する共通の側壁を有し、前記共通の側壁の上面は、前記第１の通路部によって案内される遊技球を転動させる転動面を兼ねることを特徴とする、前記（７）に記載の遊技台である。
【００１３】
（９）本発明はま前記共通の側壁は、前記第１の通路部の軸心の下方に略平行に配設されているた、ことを特徴とする、前記（８）に記載の遊技台である。
【００１４】
（１０）本発明はまた、前記転動面の短手方向の幅は、前記遊技球が案内される前記第１の通路部、前記第２の通路部または前記第３の通路部の最小幅から、前記遊技球の直径を減算した値と略一致していることを特徴とする、前記（３）または（８）に記載の遊技台である。
【００１５】
（１１）本発明はまた、前記転動面は、前記遊技球の進行方向に向かって下降傾斜されていることを特徴とする、前記（３）または（８）に記載の遊技台である。
【００１６】
（１２）本発明はまた、前記第２の通路部または前記第３の通路部の下方に開口部を備えたことを特徴とする、前記（１）〜（１１）のいずれかに記載の遊技台である。
【００１７】
（１３）本発明はまた、前記第１の通路部、前記第２の通路部、または前記第３の通路部は、前記遊技球を遊技枠外に案内して排出するための排出孔を有することを特徴とする、前記（１）〜（１２）のいずれかに記載の遊技台である。
【００１８】
（１４）本発明はまた、前記第１の通路部、前記第２の通路部、または前記第３の通路部は、前記遊技球を球貯留部から賞球計数部へと案内して運ぶための球タンクレールであることを特徴とする、前記（１）〜（１３）のいずれかに記載の遊技台である。
【００１９】
（１５）本発明はまた、所定の入賞口を有する遊技盤を備え、前記所定の入賞口に遊技球が入球した場合に、遊技者に所定の特典を与えることを特徴とする、前記（１）〜（１４）のいずれかに記載の遊技台である。
【発明の効果】
【００２０】
本発明に係る遊技台によれば、遊技媒体に付着したゴミを効率的に収集することが可能な上に、メンテナンス性に優れ、省スペース化を図ることができる。
【発明を実施するための最良の形態】
【００２１】
以下、図面を用いて、本発明の実施例１に係るパチンコ機（遊技台）について詳細に説明する。
【実施例１】
【００２２】
＜全体構成＞
まず、図１および図２を用いて、本発明の実施例１に係るパチンコ機１００の全体構成について説明する。なお、図１はパチンコ機１００を斜め前方から見た外観斜視図であり、図２はパチンコ機１００の遊技領域周辺のみを拡大して示す部分拡大図である。
【００２３】
パチンコ機１００は、遊技領域１０４を覆う閉状態および該遊技領域１０４を開放する開状態のうちの一方から他方に開閉状態を変化可能なガラス枠１５１と、このガラス枠１５１の奥側に視認可能に配設された遊技盤(盤面)１０２を備えている。この遊技盤１０２には、遊技球（以下、単に球と称する場合がある。）を遊技盤１０２の中央に位置する遊技領域１０４に案内するための外レール１０６と内レール１０８を配設している。
【００２４】
遊技領域１０４の中央やや上側には、横長の装飾図柄表示装置１１０を配設している。装飾図柄表示装置１１０は、装飾図柄を表示するための表示装置であり、本実施例では液晶表示装置によって構成する。この装飾図柄表示装置１１０は、左図柄表示領域、中図柄表示領域、右図柄表示領域の３つの表示領域に分割し、各々の表示領域に異なった装飾図柄を表示することを可能としている。
【００２５】
また、この表示装置の周囲には、一般入賞口１２２と、普図始動口１２４と、第１特図始動口１２６と、第２特図始動口１２８と、可変入賞口１３０を配設している。
【００２６】
一般入賞口１２２は、本実施例では左に１つ配設しており、この一般入賞口１２２への入球を所定の球検出センサ（図示省略）が検出した場合（一般入賞口１２２に入賞した場合）、後述する払出装置を駆動し、所定の個数（本実施例では１０個）の球を賞球として後述する貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を賞球、遊技者に貸し出す球を貸球と区別して呼ぶ場合があり、賞球と貸球を総称して球（遊技球）と呼ぶ。
【００２７】
普図始動口１２４は、ゲートやスルーチャッカーと呼ばれる、遊技領域１０４の所定の領域を球が通過したか否かを判定するための装置で構成しており、本実施例では左に１つ配設している。普図始動口１２４を通過した球は一般入賞口１２２に入球した球と違って、遊技島側に排出することはない。球が普図始動口１２４を通過したことを所定の球検出センサが検出した場合、パチンコ機１００は、図示しない普図表示装置による普図変動遊技を開始する。
【００２８】
第１特図始動口１２６は、本実施例では中央に１つだけ配設している。この第１特図始動口１２６への入球を所定の球検出センサが検出した場合、後述する払出装置を駆動し、所定の個数（本実施例では３個）の球を賞球として後述する貯留皿１４４に排出するとともに、図示しない特図表示装置による特図変動遊技を開始する。なお、第１特図始動口１２６に入球した球は、パチンコ機１００の裏側に誘導した後、遊技島側に排出する。
【００２９】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置を駆動し、所定の個数（本実施例では５個）の球を賞球として後述する貯留皿１４４に排出するとともに、特図表示装置による特図変動遊技を開始する。なお、第２特図始動口１２８に入球した球は、パチンコ機１００の裏側に誘導した後、遊技島側に排出する。
【００３０】
可変入賞口１３０は、大入賞口またはアタッカーと呼ばれ、本実施例では遊技領域１０４の中央部下方に１つだけ配設している。この可変入賞口１３０は、開閉自在な扉部材を備え、扉部材の閉鎖中は球の入球が不可能であり、特図変動遊技に当選し、特図表示装置が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置を駆動し、所定の個数（本実施例では１５球）の球を賞球として後述する貯留皿１４４に排出する。なお、可変入賞口１３０に入球した球は、パチンコ機１００の裏側に誘導した後、遊技島側に排出する。
【００３１】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００３２】
遊技盤１０２の下方には、球を一時的に貯留すると共に、貯留している球を順次、発射レールに供給するための貯留皿１４４と、遊技者による押下操作が可能であり、所定の時期にその操作を検出した場合に上述の装飾図柄表示装置１１０などによる演出表示を変化させるためのチャンスボタン１４６を配設している。
【００３３】
また、貯留皿１４４の右下には、球の発射強度の操作を行うための操作ハンドル１４８を配設していると共に、その左側には、貯留皿１４４に貯留できない溢れ球を貯留するための下皿１５０を設けている。
【００３４】
このパチンコ機１００は、遊技者が貯留皿１４４に貯留している球を発射レールの発射位置に供給し、遊技者の操作ハンドル１４８の操作量に応じた強度で発射モータを駆動し、外レール１０６、内レール１０８を通過させて遊技領域１０４に打ち出す。そして、遊技領域１０４の上部に到達した球は、打球方向変換部材１３２や遊技釘１３４などによって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００３５】
図３は、パチンコ機１００を背面側から見た外観斜視図である。パチンコ機１００の背面上部には、上方に開口した開口部を有し、球を一時的に貯留するための球タンク１５２と、この球タンク１５２の下方に位置し、球タンク１５２の底部に形成した連通孔を通過して落下する球を背面右側に位置する払出装置１５４に導くためのタンクレール１５３と、を配設している。また、払出装置１５４は、筒状の部材からなり、その内部には、スプロケット１５７と払出センサ１５８を備えている。スプロケット１５７は、図示しないモータによって回転可能に構成しており、タンクレール１５３を通過して払出装置１５４内に落下する球を一時的に滞留すると共に、モータを駆動することによって所定角度だけ回転することにより、一時的に滞留した球を払出装置１５４の下方へ１個ずつ送り出すように構成している。また、払出センサ１５８は、スプロケット１５７が送り出した球の通過を検知するためのセンサであり、球が通過しているときにオンの信号を出力し、球が通過していないときはオフの信号を出力する。なお、この払出センサ１５８を通過した球は、図示しない球レールを通過してパチンコ機１００の表側に配設した貯留皿１４４に到達するように構成しており、パチンコ機１００は、このような構成により遊技者に対して球の払い出しを行う。
【００３６】
また、払出装置１５４の左側には、後述する主制御部３００を構成する主基板１６１と、後述する演出制御部３５０を構成するサブ基板１６４を配設している。また、これら主基板１６１とサブ基板１６４の間には、図示しない液晶制御部を構成する液晶制御基板を配設し、主基板１６１とサブ基板１６４の下方には、後述する発射制御部４５０を構成する発射基板１６６と、後述する電源管理部５００を構成する電源基板１６２と、後述する払出制御部４００を構成する払出基板１６５と、この払出基板１６５に接続したＣＲインターフェース部１６３を配設している。
【００３７】
＜制御部＞
次に、図４を用いて、このパチンコ機１００の制御部の回路構成について詳細に説明する。なお、同図は主制御部、演出制御部、払出制御部、発射制御部、および電源管理部の回路ブロック図である。
【００３８】
パチンコ機１００の制御部は、大別すると、遊技の中枢部分を制御する主制御部３００と、主制御部３００が送信するコマンド信号（以下、単にコマンドと呼ぶ）に応じて、主に演出の制御を行う演出制御部３５０と、主制御部３００が送信するコマンドに応じて、主に遊技球の払い出しに関する制御を行う払出制御部４００と、遊技球の発射制御を行う発射制御部４５０と、パチンコ機１００に供給される電源を、パチンコ機１００に搭載した電気部品に送電するための所定の電力を生成する電源管理部５００によって構成している。
【００３９】
＜主制御部＞
まず、パチンコ機１００の主制御部３００について説明する。
【００４０】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数などを計測するためのカウンタタイマ３１２と、を搭載している。なお、ＲＯＭ３０６やＲＡＭ３０８については他の記憶手段を用いてもよく、この点は後述する演出制御部３５０や払出制御部４００についても同様である。この基本回路３０２のＣＰＵ３０４は、水晶発信器３１４ｂが出力する所定周期のクロック信号をシステムクロックとして入力して動作する。
【００４１】
また、基本回路３０２には、水晶発信器３１４が出力するクロック信号を受信する度に０〜６５５３５の範囲で数値を変動させるハードウェア乱数カウンタとして使用しているカウンタ回路３１６（この回路には２つのカウンタを内蔵しているものとする）と、ガラス枠１５１の開放／閉鎖を検出するガラス枠開放センサ、前枠の開放／閉鎖を検出する前枠開放センサ、下皿１５０が球で一杯になったことを検出する下皿満タンセンサ、各始動口、入賞口の入り口および可変入賞口の内部に設けた球検出センサなどを含む各種センサ３１８が出力する信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８など）の表示制御を行うための表示回路３２８と、第２特図始動口１２８や可変入賞口１３０などを開閉駆動する各種ソレノイド・モータ３３０を制御するためのソレノイド・モータ回路３３２を接続している。
【００４２】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００４３】
さらに、基本回路３０２には、情報出力回路３３４を接続しており、主制御部３００は、この情報出力回路３３４を介して、外部のホールコンピュータ（図示省略）等が備える情報入力回路５５０にパチンコ機１００の遊技情報（例えば、遊技状態）を出力する。
【００４４】
また、主制御部３００には、電源管理部５００から主制御部３００に供給している電源の電圧値を監視する電圧監視回路（図示省略）を設けており、この電圧監視回路は、電源の電圧値が所定の値（本実施例では９ｖ）未満である場合に電圧が低下したことを示す低電圧信号を基本回路３０２に出力する。
【００４５】
また、主制御部３００には、電源が投入されると起動信号を出力する起動信号出力回路（図示省略）を設けており、ＣＰＵ３０４は、この起動信号出力回路から起動信号を入力した場合に、遊技制御を開始する。
【００４６】
また、主制御部３００には、演出制御部３５０にコマンドを送信するための出力インターフェースと、払出制御部４００にコマンドを送信するための出力インターフェースをそれぞれ設けており、演出制御部３５０には、主制御部３００からコマンドを受信するための入力インターフェースを設け、払出制御部４００には、主制御部３００からコマンドを受信するための入力インターフェースを設けている。この構成により、主制御部３００と、演出制御部３５０および払出制御部４００との通信を可能としている。なお、主制御部３００と演出制御部３５０および払出制御部４００との情報通信は一方向の通信であり、主制御部３００は演出制御部３５０および払出制御部４００にコマンド等の信号を送信できるように構成しているが、演出制御部３５０および払出制御部４００からは主制御部３００にコマンド等の信号を送信できないように構成している。
【００４７】
＜演出制御部＞
次に、パチンコ機１００の演出制御部３５０について説明する。
【００４８】
演出制御部３５０は、主に主制御部３００が送信したコマンド等に基づいて演出制御部３５０の全体を制御する基本回路３５２を備えており、この基本回路３５２には、ＣＰＵ３５４と、制御プログラムや各種データを記憶するためのＲＯＭ３５６と、一時的にデータを記憶するためのＲＡＭ３５８と、各種デバイスの入出力を制御するためのＩ／Ｏ３６０と、時間や回数などを計測するためのカウンタタイマ３６２を搭載している。この基本回路３５２のＣＰＵ３５４は、水晶発信器３６４が出力する所定周期のクロック信号をシステムクロックとして入力して動作する。
【００４９】
また、基本回路３５２には、スピーカ３６６（およびアンプ）の制御を行うための音源ＩＣ３６８と、枠ランプ、盤ランプなどの各種ランプ３７０の制御を行うための表示回路３７２と、各種演出用ソレノイド等３７４を制御するためのソレノイド回路３７６と、装飾図柄表示装置（液晶表示装置）１１０や遮蔽手段２５０の制御を行うための液晶制御回路３７８と、チャンスボタン１４６の操作を検出した場合に基本回路３５２に検出信号を出力するチャンスボタン検出回路（図示省略）を接続している。
【００５０】
また、演出制御部３５０には、電源が投入されると起動信号を出力する起動信号出力回路（図示省略）を設けており、ＣＰＵ３５４は、この起動信号出力回路から起動信号を入力した場合に、演出制御を開始する。
【００５１】
＜払出制御部、発射制御部、電源管理部＞
次に、パチンコ機１００の払出制御部４００、発射制御部４５０、および電源管理部５００について説明する。
【００５２】
払出制御部４００は、主に主制御部３００が送信したコマンド等の信号に基づいて払出装置４０２を制御すると共に、払出センサ４０４が出力する制御信号に基づいて賞球または貸球の払い出しが完了したか否かを検出すると共に、インターフェース部４０６を介して、パチンコ機１００とは別体で設けられたカードユニット５５２との通信を行う。
【００５３】
発射制御部４５０は、払出制御部４００が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆および発射槌を駆動する発射モータ４５２の制御や、貯留皿１４４から発射レールに球を供給する球送り装置４５３の制御を行う。
【００５４】
電源管理部５００は、パチンコ機１００に外部から供給される交流電源を直流化し、所定の電圧に変換して主制御部３００、払出制御部４００などの各制御部や払出装置４０２などの各装置に供給する。さらに、電源管理部５００は、外部からの電源が断たれた後も所定の部品（例えば主制御部３００のＲＡＭ３０８など）に所定の期間（例えば１０日間）電力を供給するための蓄電装置（例えばコンデンサ）と、この蓄電装置よりも静電容量が小さく、所定の部品（例えば主制御部３００の基本回路３０２全体）に供給している電力が、静電気ノイズ、人的なミス、遊技台に供給される電力の低下などが原因で変動し、低下している場合に、ある程度の電力を補うための蓄電装置（例えばコンデンサ）をさらに備えている。この蓄電装置により、所定の部品（例えば主制御部３００）に供給される電力が電断時、復電時などに不安定になっても、ある程度安定してその所定の部品は動作できるように構成している。また、電源管理部５００を構成する電源基板には遊技店の店員などが操作可能な操作部（ＲＡＭクリアスイッチ）を備えており、電源投入時にこの操作部が操作されていることを検出した場合には、各制御部の基本回路３０２、３５２および４０２に、ＲＡＭ３０８および３５８を初期化することを指令するＲＡＭクリア信号を出力するようにしている。
【００５５】
＜一般入賞口＞
次に、上述の一般入賞口１２２の構造について詳細に説明する。図５（ａ）は一般入賞口１２２の構成部品を分解して示す分解斜視図であり、同図（ｂ）は一般入賞口１２２の構成部品を組み立てた状態を示す外観斜視図である。
【００５６】
一般入賞口１２２は、パチンコ機１００の本体に固定される排出通路ユニット６００と、この排出通路ユニット６００に固定される入賞口ユニット６０２と、この入賞口ユニット６０２の前面を覆うようにして入賞口ユニット６０２に取り付けられる入賞口カバー６０４によって構成している。また、排出通路ユニット６００には、入賞口ユニット６０２に入球した球をパチンコ機１００の裏側に導くための排出通路６００Ａを形成している。
【００５７】
以下、図６〜図９を用いて、一般入賞口１２２の構成部品である入賞口ユニット６０２について詳細に説明する。なお、図６（ａ）は入賞口ユニット６０２の構成部品を分解して示す分解斜視図であり、同図（ｂ）は入賞口ユニット６０２の構成部品を組み立てた状態を斜め後方から見た外観斜視図である。また、図７（ａ）は入賞口ユニット６０２の構成部品である第１部材を背面側から見た略示背面図であり、同図（ｂ）は入賞口ユニット６０２の構成部品である第２部材を背面側から見た略示背面図である。また、図８は入賞口ユニット６０２の上側排出路および下側排出路を透過して示す略示側面図である。
【００５８】
図６（ａ）に示すように、入賞口ユニット６０２は、第１部材６１０と、この第１部材６１０に着脱自在な第２部材６１２で構成している。第１部材６１０は、背面視が楕円形状の筒状部材６１０Ａと、この筒状部材６１０Ａの一端外周部に一体形成した円盤状部材６１０Ｂで構成しており、第１部材６１０の内側空間の底部には、上方に向かって突出する転動面６１０Ｃを長手方向に形成している。
【００５９】
また、第２部材６１２には、背面側に向かって突出する１本の梁部６１２Ａを形成している。この梁部６１２Ａは、第１部材６１０と第２部材６１２が２本のネジ６１４によって固定・一体化されたときに、第１部材６１０の筒状部材６１０Ａの内側空間内に挿入される。これにより、図６（ｂ）に示すように、梁部６１２Ａの上方には、球が通過可能な上側通路６１０Ｄが形成されるとともに、梁部６１２Ａは、上側通路６１０Ｄを通過する球が転動する転動面の役割を果たす。また、梁部６１２Ａの下方には、球が通過可能な下側通路６１０Ｅが形成される。さらに、第２部材６１２の底部には、上方に向かって突出する転動面６１２Ｂを形成している。この転動面６１２Ｂは、第１部材６１０と第２部材６１２が固定・一体化されたときに、第１部材６１０の転動面６１０Ｃと同軸的に配設され、第２部材６１２から第１部材６１０に亘って１つの転動面６１２Ｂ、６１０Ｃが形成される。
【００６０】
また、第２部材６１２は、上方から中央にかけて形成した上側溝部６１２Ｃと、この上側溝部６１２Ｃと連通するように側方から下方にかけて形成した下側溝部６１２Ｄを有している。上側溝部６１２Ｃの一部は、第１部材６１０と第２部材６１２が固定・一体化されたときに、第１部材６１０の円盤状部材６１０Ｂで閉塞される。これにより、球が通過可能な通路が形成されるとともに、この通路が第１部材６１０の上側通路６１０Ｄと連通して、図８に示す上側排出路６１６が形成される。また、下側溝部６１２Ｄの一部も、第１部材６１０と第２部材６１２が固定・一体化されたときに、第１部材６１０の円盤状部材６１０Ｂで閉塞される。これにより、球が通過可能な通路が形成されるとともに、この通路が第１部材６１０の下側通路６１０Ｅと連通して、図８に示す下側排出路６１８が形成される。なお、上側排出路６１６の転動面となる梁部６１２Ａと、下側排出路６１８の転動面６１２Ｂ、６１０Ｃは、図８に示すように、第２部材６１２（球が入球する入球側）から第１部材６１０（球が排出する排出側）の方向に下降する傾斜面としている。
【００６１】
図９（ａ）は入賞口ユニット６０２の上側排出路６１６および下側排出路６１８に球６２０が入球している様子を入賞ユニット６０２の背面側から見た略示背面図であり、同図（ｂ）は入賞口ユニット６０２の上側排出路６１６および下側排出路６１８に球が入球している様子を入賞口ユニット６０２の斜め後方から見た外観斜視図である。
【００６２】
同図に示すように、上側排出路６１６を通過する球６２０は、側方への移動を左右の右側壁６１６Ｂ、左側壁６１６Ｃによって規制されるとともに、下方を転動面である梁部６１２Ａによって支持されて梁部６１２Ａ上を入球側から排出側に転動する。また、下側排出路６１８を通過する球６２２は、側方への移動を左右の右側壁６１８Ｂ、左側壁６１８Ｃによって規制されるとともに、下方を転動面６１２Ｂ、６１０Ｃに支持されて転動面６１２Ｂ、６１０Ｃ上を入球側から排出側に転動する。このように、実施例１に係る入賞口ユニット６０２では、上側排出路６１６の右側壁６１６Ｂと、下側排出路６１８の右側壁６１８Ｂをほぼ同一平面上に配設しているとともに、上側排出路６１６の左側壁６１６Ｃと、下側排出路６１８の右側壁６１８Ｃも、ほぼ同一平面上に配設している。
【００６３】
以上説明したように、本実施例に係るパチンコ機１００は、遊技球を案内する第１の通路部（本実施例では上側通路）６１０Ｄと、第１の通路部６１０Ｄの下方に第１の通路部６１０Ｄと略平行に配設され、遊技球を案内する第２の通路部（本実施例では下側通路）６１０Ｅと、を備え、第１の通路部６１０Ｄと第２の通路部６１０Ｅは、遊技球の進行方向に沿って少なくとも一部が連通されていることを特徴とする、遊技台である。なお、「連通」とは、空間的に連なっていることをいう。
【００６４】
本実施例に係るパチンコ機１００によれば、第１の通路部内のゴミを第２の通路部に落下させ、第１の通路部と第２の通路部のゴミを一箇所にまとめることが可能である。そのため、球に付着したゴミを効率的に収集することができる。また、従来の遊技台のように通路の数だけゴミを収集する貯留部を用意する必要がないため、メンテナンス性に優れ、省スペース化を図ることができる。
【００６５】
また、第１の通路部６１０Ｄおよび第２の通路部６１０Ｅは、遊技球の側方への移動を規制する側壁６１６Ｂ、６１６Ｃ、６１８Ｂ、６１８Ｃをそれぞれ有し、第１の通路部６１０Ｄの側壁６１６Ｂ、６１６Ｃと第２の通路部６１０Ｅの側壁６１８Ｂ、６１８Ｃが、同一平面上に配設されていれば、通路部を２つ備えながらも省スペース化を図ることができる場合がある。
【００６６】
なお、本発明に係る遊技台の構成は、上記実施例１の構成に限定されるものではなく、例えば、以下に説明する変形例を採用してよい。
【００６７】
図１０（ａ）は実施例１の第１変形例に係る入賞口ユニット６５２を斜め後方から見た外観斜視図であり、同図（ｂ）は同入賞口ユニット６５２の構成部品を分解して示した分解斜視図であり、同図（ｃ）は同入賞口ユニット６５２を斜め前方から見た外観斜視図であり、同図（ｄ）は同入賞口ユニット６５２が備えるゴミ貯留部６６３を引き出した状態を示す外観斜視図である。
【００６８】
この入賞口ユニット６５２は、第１部材６６０と、この第１部材６６０に着脱自在な第２部材６６２と、第１部材６６０の下部に収容可能なゴミ貯留部材６６３で構成している。第１部材６６０は、背面視が楕円形状の筒状部材６６０Ａと、この筒状部材６６０Ａの一端外周部に一体形成した円盤状部材６６０Ｂで構成している。
【００６９】
また、第２部材６６２には、背面側に向かって突出する２本の第１梁部６６２Ａ、第２梁部６６２Ｂを形成している。これら２本の第１、第２梁部６６２Ａ、６６２Ｂは、第１部材６６０と第２部材６６２が固定・一体化されたときに、第１部材６６０の筒状部材６６０Ａの内側空間内に挿入される。これにより、図１０（ａ）に示すように、第１梁部６６２Ａの上方には、球が通過可能な上側通路６５６が形成されるとともに、第１梁部６６２Ａは上側通路６５６を通過する球が転動する転動面の役割を果たす。また、第１梁部６６２Ａと第２梁部６６２Ｂの間には、球が通過可能な下側通路６５８が形成されるとともに、第２梁部６６２Ｂは下側通路６５８を通過する球が転動する転動面の役割を果たす。
【００７０】
また、ゴミ貯留部材６６３は、第１、第２梁部６６２Ａ、６６２Ｂの下方に配設しており、上側通路６５６および下側通路６５８を通過する（第１、第２梁部６６２Ａ、６６２Ｂ上を転動する）球が落としたゴミ（塵や埃など）を収容することを可能としている。
【００７１】
このように、第２の通路部（本実施例では、下側通路）６５８の下方に開口部を備えれば、第１の通路部および第２の通路部のゴミを外部に排出することができ、通路部のメンテナンス性を高めることができる場合がある。特に、ゴミを収集するゴミ貯留部材６６３をさらに備えれば、ゴミの回収を容易に行うことができ、より一層、メンテナンス性を向上させることができる場合がある。
【００７２】
図１１（ａ）は実施例１の第２変形例に係る入賞口ユニット６７２を斜め後方から見た外観斜視図であり、同図（ｂ）は同入賞口ユニット６７２を背面側から見た略示背面図であり、同図（ｃ）は同入賞口ユニット６７２に球が入球した状態を背面側から見た略示背面図である。
【００７３】
この入賞口ユニット６７２は、第１部材６８０と、この第１部材６８０に着脱自在な第２部材６８２で構成している。第１部材６８０は、背面視が楕円形状の筒状部材６８０Ａと、この筒状部材６８０Ａの一端外周部に一体形成した円盤状部材６８０Ｂで構成している。また、筒状部材６８０Ａの内周部には、両側から中央に向かって突出し、筒状部材６８０Ａの内側空間を上側通路６８０Ｃと下側通路６８０Ｄに区分けする突出部６８０Ｅと、底面から上方に向けて突出する転動面６８０Ｆと、を形成している。
【００７４】
同図（ｃ）に示すように、上側通路６８０Ｃに入球した球６８４は、側方への移動を筒状部材６８０Ａの両側の側壁に規制されるとともに、下方を突出部６８０Ｅで支持されて突出部６８０Ｅ上を入球側から排出側に転動する。また、下側通路６８０Ｄに入球した球６８６は、側方への移動を筒状部材６８０Ａの両側の側壁に規制されるとともに、下方を転動面６８０Ｆで支持されて転動面６８０Ｆ上を入球側から排出側に転動する。
【００７５】
このように、球を複数個所（この例では２箇所）で支持する支持部（この例では突出部）６８０Ｅを設ければ、球の転動を安定させることができ、球を目的の位置に円滑に案内することが可能となる。
【００７６】
図１２は実施例１の第３変形例に係る入賞口ユニット６９２を背面側から見た略示背面図である。この入賞口ユニット６９２は、実施例１に係る入賞口ユニット６０２に比べ、上側通路６９４と下側通路６９６の間の距離を離して配置したものである。この第３変形例に示すように、本発明に係る第１の通路、第２の通路、第３の通路の間の距離は近接している場合に限定されものではない。
【実施例２】
【００７７】
次に、本発明の実施例２に係るパチンコ機について詳細に説明する。なお、重複した説明を回避するため、以下、上記実施例１に係るパチンコ機１００と異なる部分についてのみ説明する。
【００７８】
＜入賞口ユニット＞
図１３（ａ）は本実施例２に係る入賞口ユニット７００を斜め後方から見た外観斜視図であり、同図（ｂ）は同入賞口ユニット７００を構成する第２部材７０４を斜め後方から見た外観斜視図であり、同図（ｃ）は第２部材７０４を背面側から見た略示背面図である。また、同図（ｄ）は入賞口ユニット７００に球が入球した状態を斜め後方から見た外観斜視図であり、同図（ｅ）は入賞口ユニット７００に球が入球した状態を背面側から見た略示背面図である。
【００７９】
この入賞ユニット７００は、第１部材７０２と、この第１部材７０２に着脱可能な第２部材７０４によって構成している。第１部材７０２は、球が通過可能な筒状の上側通路７０２Ａおよび下側通路７０２Ｂを備えており、下側通路７０２Ｂの側壁７０２Ｃの上面が、上側通路７０２Ａを通過する球が転動する転動面７０２Ｄの一部を兼ねている。なお、転動面７０２Ｄは、球が入球する入球側から球が排出する排出側の方向に下降する傾斜面としている。
【００８０】
また、第２部材７０４は、同図（ｂ）、（ｃ）に示すように、上方から中央にかけて形成した上側溝部７０４Ａと、この上側溝部７０４Ａと連通するように側方から下方にかけて形成した下側溝部７０４Ｂを備えており、下側溝部７０４Ｂの一部を形成する側壁７０４Ｃの上面が、上側溝部７０４Ａを通過する球が転動する転動面７０４Ｄの一部を兼ねている。なお、転動面７０４Ｄは、球が入球する入球側から球が排出する排出側の方向に下降する傾斜面としている。
【００８１】
また、第２部材７０４の上側溝部７０４Ａの一部は、第１部材７０２と第２部材７０４が固定・一体化されたときに、第１部材７０２で閉塞される。これにより、球が通過可能な通路が形成されるとともに、この通路が第１部材７０２の上側通路７０２Ａと連通し、入賞ユニット７００の上側排出路が形成される。また、下側溝部７０４Ｂの一部も、第１部材７０２と第２部材７０４が固定・一体化されたときに、第１部材７０２で閉塞される。これにより、球が通過可能な通路が形成されるとともに、この通路が第１部材７０２の下側通路７０２Ｂと連通し、入賞ユニット７００の下側排出路が形成される。
【００８２】
以上説明したように、第２の通路部（本実施例では、下側通路）７０２Ｂは、遊技球の側方への移動を規制する側壁７０２Ｃを有し、第２の通路部０２Ｂの側壁７０２Ｃの上面が、第１の通路部７０２Ａによって案内される遊技球を転動させる転動面７０２Ｄを兼ねるように構成すれば、第１の通路部を通過する球を転動させる転動面を別途設けることがなく、部品点数を削減することができ、また、第１の通路部と第２の通路部の縦方向の設置距離を短くすることを可能とし、省スペース化を図ることができる場合がある。
【００８３】
また、第２の通路部７０２Ｂの側壁を板状部材とすれば、さらに省スペース化を図ることができる場合がある。
【００８４】
また、転動面７０４Ｄが、遊技球の進行方向に向かって下降傾斜されていれば、遊技球を転動させるためのリブを別途設けることなく、また、全体を傾斜させる構造にする必要がなく、省スペースを図ることができる場合がある。
【００８５】
また、第１の通路部７０２Ａまたは第２の通路部７０２Ｂが、遊技球を遊技枠外（本実施例では、パチンコ機１００の裏側）に案内して排出するための排出孔を有するように構成すれば、各々の入賞口を省スペースな形で配設した場合であってもそれに対応して排出口を設置することができ、更に、メンテナンス性を向上させることができる場合がある。
【００８６】
なお、本発明に係る遊技台の構成は、上記実施例２の構成に限定されるものではなく、例えば、以下に説明する変形例を採用してよい。
【００８７】
図１４（ａ）は本実施例２の第１変形例に係る第２部材７１４を斜め後方から見た外観斜視図であり、同図（ｂ）は本実施例２の第２変形例に係る第２部材７２４を斜め後方から見た外観斜視図である。
【００８８】
第１変形例に係る第２部材７１４は、上方から中央にかけて形成した上側溝部７１４Ａと、この上側溝部７１４Ａと連通するように側方から下方にかけて形成した下側溝部７１４Ｂを備えており、下側溝部７１４Ｂを形成する側壁７１４Ｃの上面が、上側溝部７１４Ａを通過する球が転動する転動面７１４Ｄを兼ねている。また、転動面７１４Ｄを、球が入球する入球側から球が排出する排出側の方向に下降する傾斜面としている。
【００８９】
また、第２変形例に係る第２部材７２４は、上方から中央にかけて形成した上側溝部７２４Ａと、この上側溝部７２４Ａと連通するように側方から下方にかけて形成した下側溝部７２４Ｂを備えており、下側溝部７２４Ｂを形成する側壁７２４Ｃの上面が、上側溝部７２４Ａを通過する球が転動する転動面７２４Ｄを兼ねている。また、転動面７２４Ｄを、球が入球する入球側から球が排出する排出側の方向に下降する傾斜面としている。
【００９０】
図１５（ａ）は本実施例２の第３変形例に係る入賞口ユニット７３０を斜め後方から見た外観斜視図であり、同図（ｂ）は同入賞口ユニット７３０を背面側から見た略示背面図であり、同図（ｃ）は同入賞口ユニット７３０に球が入球した状態を斜め後方から見た外観斜視図である。
【００９１】
第３変形例に係る入賞口ユニット７３０の第１部材７３２は、球が通過可能な筒状の上側通路７３２Ａおよび下側通路７３２Ｂを備えており、下側通路７３２Ｂの側壁７３２Ｃの上面が、上側通路７３２Ａを通過する球が転動する転動面７３２Ｄを兼ねている。また、第１部材７３２の長手方向に開口部７３２Ｅを設けており、上側通路７３２Ａを通過する球が落としたゴミ（塵や埃など）を開口部７３２Ｅから入賞口ユニット７３０の外部に排出することを可能としている。なお、この開口部７３２Ｅの下方に上述のゴミ貯留部を配設すれば、開口部７３２Ａから排出されるゴミを収容することが可能となる。
【００９２】
図１６は本実施例２の第４変形例に係る入賞口ユニット７４０を背面側から見た略示背面図である。この入賞口ユニット７４０の第１部材７４２は、球７４４が通過可能な筒状の上側通路７４２Ａおよび下側通路７４２Ｂを備えており、それぞれの内側空間の内径寸法を球７４４が通過可能な程度まで小さくしたものである。
【００９３】
このように、第１の通路部（この例では、上側通路）７４２Ａと第２の通路部（この例では、下側通路）７４２Ｂが近接して配設されていれば、省スペース化を図ることができる場合があり、特に、第１の通路部７４２Ａと第２の通路部７４２Ｂを、側壁７４６の厚みよりも近接して配設すれば、さらに省スペース化を図ることができる場合がある。なお、本発明に係る「近接」とは、第１の通路部を通過する球と、第２の通路部を通過する球が、球の直径よりも近づくように第１、第２の通路部を配設することを意味している。
【実施例３】
【００９４】
次に、本発明の実施例３に係るパチンコ機について詳細に説明する。なお、重複した説明を回避するため、以下、上記実施例１に係るパチンコ機１００と異なる部分についてのみ説明する。
【００９５】
＜入賞口ユニット＞
図１７（ａ）は本実施例３に係る入賞口ユニット８００の構成部品を分解して示した分解斜視図であり、同図（ｂ）は入賞口ユニット８００の正面図、平面図、左側面図、および右側面図である。
【００９６】
入賞口ユニット８００は、第１部材８０２と、この第１部材８０２に着脱自在な第２部材８０４で構成している。
【００９７】
図１８（ａ）は本実施例３に係る第１部材８０２を斜め後方から見た外観斜視図であり、同図（ｂ）は第１部材８０２の正面図、平面図、左側面図、および右側面図である。
【００９８】
この第１部材８０２は、球が通過可能な筒状部材からなる３つの第１通路８０２Ａ、第２通路８０２Ｂ、第３通路８０２Ｃを有しており、第２通路８０２Ｂおよび第３通路８０２Ｃを水平方向に並べて配設し、これら第２通路８０２Ｂおよび第３通路８０２Ｃの上方に、第１通路８０２Ａを配設している。また、第２通路８０２Ｂの一方の側壁８０６と、第３通路８０２Ｃの一方の側壁８０６を共通にしており、この共通の側壁８０６の上面は、第１通路８０２Ａを通過する球が転動する転動面８０２Ｄを兼ねている。また、第１部材８０２の第２通路８０２Ｂおよび第３通路８０２Ｃの底面には、上方に向かって突出する転動面８０７、８０８をそれぞれ形成している。
【００９９】
図１９（ａ）は本実施例３に係る第２部材８０４を斜め後方から見た外観斜視図であり、同図（ｂ）は第２部材８０４の正面図、左側面図、および右側面図である。
【０１００】
第２部材８０４は、上方から中央にかけて形成した上側溝部８０４Ａと、この上側溝部８０４Ａと連通するように左側方から下方にかけて形成した左側溝部８０４Ｂと、上側溝部８０４Ａと連通するように右側方から下方にかけて形成した右側溝部８０４Ｃと、を有している。また、左側溝部８０４Ｂの一部を形成する側壁８０４Ｄと、右側溝部８０４Ｃを形成する側壁８０４Ｄを共通にしており、この共通の側壁８０４Ｄの上面は、上側溝部８０４Ａを通過する球が転動する転動面８０４Ｅを兼ねている。
【０１０１】
上側溝部８０４Ａの一部は、第１部材８０２と第２部材８０４が固定・一体化されたときに、第１部材８０２で閉塞される。これにより、球が通過可能な通路が形成されるとともに、この通路が第１部材８０２の第１通路８０２Ａと連通して、第１排出路が形成される。また、左側溝部８０４Ｂの一部は、第１部材８０２と第２部材８０４が固定・一体化されたときに、第１部材８０２で閉塞される。これにより、球が通過可能な通路が形成されるとともに、この通路が第１部材８０２の第２通路８０２Ｂと連通して、第２排出路が形成される。さらに、右側溝部８０４Ｃの一部は、第１部材８０２と第２部材８０４が固定・一体化されたときに、第１部材８０２で閉塞される。これにより、球が通過可能な通路が形成されるとともに、この通路が第１部材８０２の第３通路８０２Ｃと連通して、第３排出路が形成される。
【０１０２】
図２０（ａ）は本実施例３に係る入賞口ユニット８００に球が入球した様子を斜め後方から見た外観斜視図であり、同図（ｂ）は同入賞口ユニット８００に球が入球した様子を背面側から見た略示背面図である。
【０１０３】
同図に示すように、第１通路８０２Ａを通過する球は、側方への移動を左右の側壁によって規制されるとともに、下方を転動面８０６で支持されて転動面８０６上を入球側から排出側に転動する。また、第２通路８０２Ｂを通過する球は、側方への移動を左右の側壁によって規制されるとともに、下方を転動面８０７で支持されて転動面８０７上を入球側から排出側に転動する。また、第３通路８０２Ｃを通過する球は、側方への移動を左右の側壁によって規制されるとともに、下方を転動面８０８で支持されて転動面８０８上を入球側から排出側に転動する。
【０１０４】
図２１は第１通路８０２Ａの周辺を拡大して示した部分拡大図である。第１通路８０２Ａと球８２０との距離は特に限定されないが、第１通路８０２Ａの両側の側壁から球８２０の外周面までの距離をそれぞれＢ１、Ｂ２とし、球８２０の転動面８０６の幅をＡとした場合、Ａ≧Ｂ１＋Ｂ２の関係であることが好ましい。なお、本実施例では、第１通路８０２Ａの内周部の最小幅を１２ｍｍ、球の直径を１１ｍｍとしているため、第１通路８０２Ａの両側の側壁から球８２０の外周面までの距離Ｂ１＋Ｂ２は１ｍｍ（１２ｍｍ−１１ｍｍ）であり、転動面８０６の幅Ａを１ｍｍよりも大きい１．５ｍｍに設定している。
【０１０５】
以上説明したように、第１の通路部（本実施例では、第１通路）８０２Ａの下方に第１の通路部８０２Ａおよび第２の通路部（本実施例では、第２通路）８０２Ｂと略平行に配設され、遊技球を案内する第３の通路部（本実施例では、第３通路）８０２Ｃをさらに備え、第１の通路部８０２Ａ、第２の通路部８０２Ｂ、および第３の通路部８０２Ｃは、遊技球の進行方向に沿って少なくとも一部が連通されていれば、第１の通路部のうち、第２の通路部の上方に位置しない箇所のゴミも別の通路部に落とすことを可能とし、第２の通路部および第３の通路部の２箇所にゴミをまとめることを可能とし、メンテナンス性を向上させることができる場合がある。
【０１０６】
また、第２の通路部８０２Ｂおよび第３の通路部８０２Ｃは、遊技球の側方への移動を規制する共通の側壁８０６を有し、共通の側壁８０６の上面は、第１の通路部８０４Ａによって案内される遊技球を転動させる転動面８０２Ｄを兼ねるように構成すれば、第１の通路部を通過する球を転動させる転動面を別途設けることがなく、また、第２の通路部と第３の通路部の側壁を共通化することができるため、部品点数を削減することができる場合がある。また、第１の通路部と、第２の通路部および第３の通路部との縦方向の設置距離を短くすることを可能とし、省スペース化を図ることができる場合がある。
【０１０７】
また、共通の側壁８０６が、第１の通路部８０２Ａの軸心の下方に略平行に配設されていれば、第１の通路部を通過する球を円滑に転動させることができる場合がある。
【０１０８】
また、転動面８０６の短手方向の幅Ａが、遊技球８２０が案内される第１の通路部８０２Ａの最小幅から、遊技球の直径を減算した値（Ｂ１＋Ｂ２）と略一致していれば、転動面の短手方向の幅を小さくすることができる上に、球を円滑に転動させることができる場合がある。
【０１０９】
なお、本実施例において、第２の通路部８０２Ｂおよび第３の通路部８０２Ｃは、第１の通路部８０２Ａに対して略等距離に配設されているが、本発明はこれに限られず、第２の通路部８０２Ｂまたは第３の通路部８０２Ｃの一方を他方よりも下方に配設したり、第１の通路部８０２Ａを第２の通路部８０２Ｂまたは第３の通路部８０２Ｃのいずれか一方側に偏らせて配設してもよい。
【０１１０】
以上、実施例１から実施例３まで、本発明を入賞口ユニットに適用する例を説明してきたが、本発明の対象は入賞口ユニットに限定されるものではない。したがって、例えば、球タンクレール９０６（詳細は後述）、排出通路ユニット６００、アウト口１３６、貯留皿１４４を始め、賞球計数部、賞球計数部が計数した球を貯留皿へ払い出す払出通路などの通路において本発明を適用してもよい。なお、溜まったゴミが目立つのを防止するためには、排出通路ユニット６００に通じる通路を本発明の通路とするのが好適である。また、遊技領域１０４に設けられ、所定の遊技領域から、別の遊技領域へ球を移動させるためのワープ通路に適用してもよい。
【実施例４】
【０１１１】
次に、本発明の実施例４に係るパチンコ機について詳細に説明する。なお、重複した説明を回避するため、以下、上記実施例１に係るパチンコ機１００と異なる部分についてのみ説明する。
【０１１２】
＜球タンクユニット＞
本実施例４に係るパチンコ機は、上述の球タンク１５２およびタンクレール１５３に替えて、球タンクユニット９００を備えている。
【０１１３】
図２２は球タンクユニット９００の構成部品を分解して示した分解斜視図である。また、図２３（ａ）は球タンク９０２を上方から見た略示平面図であり、同図（ｂ）は同図（ａ）におけるＡ−Ａ線に沿う断面図であり、同図（ｃ）は同図（ａ）におけるＢ−Ｂ線に沿う断面図である。
【０１１４】
この球タンクユニット９００は、球を一時的に貯留するための球タンク９０２と、タンクレール９０６の上部を覆うための天井部材９０４と、球タンク９０２から排出された球を上述の払出装置１５４に導くためタンクレール９０６によって構成している。
【０１１５】
球タンク９０２には、球をタンクレール９０６に入球させることが可能な３つの第１入球口９０２Ａ、第２入球口９０２Ｂ、および第３入球口９０２Ｃを形成している。また、天井部材９０４の下方には、球タンク９０２の第１入球口９０２Ａに入球した球の側方への移動を規制する２つの側壁９０４Ａを形成している。また、タンクレール９０６の底面には、球タンク９０２の第２入球口９０２Ｂおよび第３入球口９０２Ｃに入球した球の側方への移動を規制する側壁９０６Ａを形成しており、この側壁９０６Ａの上面は、球タンク９０２の第１入球口９０２Ａに入球した球が転動する転動面９０６Ｂを兼ねている。さらに、タンクレール９０６の底面には、球タンク９０２の第２入球口９０２Ｂに入球した球が転動する転動面９０６Ｃ、および球タンク９０２の第３入球口９０２Ｃに入球した球が転動する転動面９０６Ｄを形成している。なお、転動面９０６Ｂ、９０６Ｃ、９０６Ｄは、球が入球する入球側から球が排出する排出側の方向に下降する傾斜面としている。
【０１１６】
第１入球口９０２Ａに入球した球は、側方への移動を天井部材９０４の２つの側壁９０４Ａによって規制されるとともに、下方をタンクレール９０６の転動面９０６Ｂで支持されて転動面９０６Ｂ上を入球側から排出側に転動する。すなわち、天井部材９０４の２つの側壁９０４Ａと、タンクレール９０６の転動面９０６Ｂによって第１の通路が形成される。また、第２入球口９０２Ｂに入球した球は、側方への移動をタンクレール９０６の外側の側壁と内側の側壁９０６Ａによって規制されるとともに、下方をタンクレール９０６の転動面９０６Ｃで支持されて転動面９０６Ｃ上を入球側から排出側に転動する。すなわち、タンクレール９０６の外側の側壁と内側の側壁９０６Ａと、タンクレール９０６の転動面９０６Ｃによって第２の通路が形成される。また、第３入球口９０２Ｃに入球した球は、側方への移動をタンクレール９０６の外側の側壁と内側の側壁９０６Ａによって規制されるとともに、下方をタンクレール９０６の転動面９０６Ｄで支持されて転動面９０６Ｄ上を入球側から排出側に転動する。すなわち、タンクレール９０６の外側の側壁と内側の側壁９０６Ａと、タンクレール９０６の転動面９０６Ｄによって第３の通路が形成される。
【０１１７】
本実施例４に係るパチンコ機のように、第１の通路、第２の通路、または第３の通路が、遊技球を球貯留部から賞球計数部へと案内して運ぶための球タンクレールであれば、球を円滑に賞球計数部へ案内することができ、球タンクレールのメンテナンス性を高めることができる場合がある。
【０１１８】
なお、本発明に係る遊技台の構成は、上記実施例４の構成に限定されるものではなく、例えば、以下に説明する変形例を採用してよい。
【０１１９】
図２４は本実施例４の第１変形例に係る球タンクユニット９２０を示した図である。この球タンクユニット９２０も、互いに連通する３つの第１通路９２０Ａ、第２通路９２０Ｂ、第３通路９２０Ｃを備えており、第２通路９２０Ｂと第３通路９２０Ｃの共通の側壁９２０Ｄの上面が、第１通路９２０Ａを通過する球が転動する転動面９２２を兼ねている。
【０１２０】
図２５（ａ）は球が通過可能な通路を備えた装飾物９５０を背面側から見た略示背面図であり、同図（ｂ）は同装飾物の略示側面図であり、同図（ｃ）は同装飾物の略示正面図である。この装飾物９５０は、家を模した模型９５０Ａの上に、球が通過可能な通路９５０Ｂを配設しており、模型９５０Ａの一部が、球が転動する転動面９５２を兼ねている。この例に示すように、球の通路を構成する部材とは別の部材を、球が転動する転動面とすれば、部材の数を減らすことができる上に、省スペース化を図ることができる。
【産業上の利用可能性】
【０１２１】
本発明に係る遊技台は、スロットマシンやパチンコ機などに代表される遊技台に適用することができる。
【図面の簡単な説明】
【０１２２】
【図１】本実施例１に係るパチンコ機を斜め前方から見た外観斜視図である。
【図２】同パチンコ機の遊技領域周辺のみを拡大して示す部分拡大図である。
【図３】同パチンコ機を背面側から見た外観斜視図である。
【図４】主制御部、演出制御部、払出制御部、発射制御部、および電源管理部の回路ブロック図である。
【図５】（ａ）は一般入賞口の構成部品を分解して示す分解斜視図であり、（ｂ）は一般入賞口の構成部品を組み立てた状態を示す外観斜視図である。
【図６】（ａ）は入賞口ユニットの構成部品を分解して示す分解斜視図であり、（ｂ）は入賞口ユニットの構成部品を組み立てた状態を斜め後方から見た外観斜視図である。
【図７】（ａ）は入賞口ユニットの構成部品である第１部材を背面側から見た略示背面図であり、（ｂ）は入賞口ユニットの構成部品である第２部材を背面側から見た略示背面図である。
【図８】入賞口ユニットの上側排出路および下側排出路を透過して示す略示側面図である。
【図９】（ａ）は入賞口ユニットの上側排出路および下側排出路に球が入球している様子を入賞ユニットの背面側から見た略示背面図であり、（ｂ）は入賞口ユニットの上側排出路および下側排出路に球が入球している様子を入賞口ユニットの斜め後方から見た外観斜視図である。
【図１０】（ａ）は実施例１の第１変形例に係る入賞口ユニットを斜め後方から見た外観斜視図であり、（ｂ）は同入賞口ユニットの構成部品を分解して示した分解斜視図であり、（ｃ）は同入賞口ユニットを斜め前方から見た外観斜視図であり、（ｄ）は同入賞口ユニットが備えるゴミ貯留部を引き出した状態を示す外観斜視図である。
【図１１】（ａ）は実施例１の第２変形例に係る入賞口ユニットを斜め後方から見た外観斜視図であり、（ｂ）は同入賞口ユニットを背面側から見た略示背面図であり、同図（ｃ）は同入賞口ユニットに球が入球した状態を背面側から見た略示背面図である。
【図１２】実施例１の第３変形例に係る入賞口ユニットを背面側から見た略示背面図である。
【図１３】（ａ）は本実施例２に係る入賞口ユニットを斜め後方から見た外観斜視図であり、（ｂ）は同入賞口ユニットを構成する第２部材を斜め後方から見た外観斜視図であり、（ｃ）は第２部材を背面側から見た略示背面図であり、（ｄ）は入賞口ユニットに球が入球した状態を斜め後方から見た外観斜視図であり、（ｅ）は入賞口ユニットに球が入球した状態を背面側から見た略示背面図である。
【図１４】（ａ）は本実施例２の第１変形例に係る第２部材を斜め後方から見た外観斜視図であり、（ｂ）は本実施例２の第２変形例に係る第２部材を斜め後方から見た外観斜視図である。
【図１５】（ａ）は本実施例２の第３変形例に係る入賞口ユニットを斜め後方から見た外観斜視図であり、（ｂ）は同入賞口ユニットを背面側から見た略示背面図であり、同図（ｃ）は同入賞口ユニットに球が入球した状態を斜め後方から見た外観斜視図である。
【図１６】本実施例２の第４変形例に係る入賞口ユニットを背面側から見た略示背面図である。
【図１７】（ａ）は本実施例３に係る入賞口ユニットの構成部品を分解して示した分解斜視図であり、（ｂ）は入賞口ユニットの正面図、平面図、左側面図、および右側面図である。
【図１８】（ａ）は本実施例３に係る第１部材を斜め後方から見た外観斜視図であり、（ｂ）は第１部材の正面図、平面図、左側面図、および右側面図である。
【図１９】（ａ）は本実施例３に係る第２部材を斜め後方から見た外観斜視図であり、（ｂ）は第２部材の正面図、左側面図、および右側面図である。
【図２０】（ａ）は本実施例３に係る入賞口ユニットに球が入球した様子を斜め後方から見た外観斜視図であり、（ｂ）は同入賞口ユニットに球が入球した様子を背面側から見た略示背面図である。
【図２１】第１通路の周辺を拡大して示した部分拡大図である。
【図２２】球タンクユニットの構成部品を分解して示した分解斜視図である。
【図２３】（ａ）は球タンクを上方から見た略示平面図であり、（ｂ）は（ａ）におけるＡ−Ａ線に沿う断面図であり、（ｃ）は（ａ）におけるＢ−Ｂ線に沿う断面図である。
【図２４】本実施例４の第１変形例に係る球タンクユニットを示した図である。
【図２５】（ａ）は球が通過可能な通路を備えた装飾物を背面側から見た略示背面図であり、（ｂ）は同装飾物の略示側面図であり、（ｃ）は同装飾物の略示正面図である。
【符号の説明】
【０１２３】
１００  パチンコ機
１０２  遊技盤
１０４  遊技領域
１２２  一般入賞口
１２４  普図始動口
１２６  第１特図始動口
１２８  第２特図始動口
１３０  可変入賞口
３００  主制御部
３５０  演出制御部
４００  払出制御部
４５０  発射制御部
５００  電源管理部
６０２、６５２、６７２、６９２、７００、７３０、８００  入賞口ユニット
９００  球タンクユニット
【図１】
0004898626.tif 000002
【図２】
0004898626.tif 000003
【図３】
0004898626.tif 000004
【図４】
0004898626.tif 000005
【図５】
0004898626.tif 000006
【図６】
0004898626.tif 000007
【図７】
0004898626.tif 000008
【図８】
0004898626.tif 000009
【図９】
0004898626.tif 000010
【図１０】
0004898626.tif 000011
【図１１】
0004898626.tif 000012
【図１２】
0004898626.tif 000013
【図１３】
0004898626.tif 000014
【図１４】
0004898626.tif 000015
【図１５】
0004898626.tif 000016
【図１６】
0004898626.tif 000017
【図１７】
0004898626.tif 000018
【図１８】
0004898626.tif 000019
【図１９】
0004898626.tif 000020
【図２０】
0004898626.tif 000021
【図２１】
0004898626.tif 000022
【図２２】
0004898626.tif 000023
【図２３】
0004898626.tif 000024
【図２４】
0004898626.tif 000025
【図２５】
0004898626.tif 000026